(57)【要約】  放射線撮影システムの納入先を確実に把握可能にする。  Ｘ線をばく射して撮影するＸ線撮影システム２の納入先情報Ｉａを管理する情報管理装置４において、前記Ｘ線撮影システム２の動作ロックを解除するロック解除情報Ｉｂを記憶するシステム情報記憶部６０と、前記Ｘ線撮影システム２の納入先情報Ｉａが取得されていることを条件に、当該Ｘ線撮影システム２のロック解除情報Ｉｂを保守作業者８が取得可能にするロック解除情報アクセス制御部６２と、を備える。
2020065775.tif 000002
【特許請求の範囲】
【請求項１】
放射線をばく射して撮影する放射線撮影システムの納入先情報を管理する情報管理装置であって、
前記放射線撮影システムの動作ロックを解除するロック解除情報を記憶するロック解除情報記憶部と、
前記放射線撮影システムの納入先情報が取得されていることを条件に、当該放射線撮影システムのロック解除情報をユーザが取得可能にするロック解除情報アクセス制御部と、
を備えることを特徴とする情報管理装置。
【請求項２】
前記納入先情報を受け付けて取得するシステム情報管理部と、
管理対象の前記放射線撮影システムを予め記憶するシステム情報記憶部と、を備え、
前記システム情報管理部は、
管理対象の前記放射線撮影システムに限り、前記ユーザによる前記納入先情報の入力を受け付ける
ことを特徴とする請求項１に記載の情報管理装置。
【請求項３】
前記ユーザが正規の作業者であるか否かを認証するユーザ認証部を備え、
前記ロック解除情報アクセス制御部は、
前記ユーザが前記正規の作業者であると認証された場合に限り、当該ユーザが前記ロック解除情報を取得可能にする
ことを特徴とする請求項１または２に記載の情報管理装置。
【請求項４】
前記放射線撮影システムの保守作業に用いる保守アプリケーションプログラムの実行を可能にする実行許可情報を記憶する実行許可情報記憶部と、
前記ユーザが前記正規の作業者であると認証された場合に限り、当該ユーザが前記実行許可情報を取得可能にする実行許可情報アクセス制御部と、
を備えることを特徴とする請求項３に記載の情報管理装置。
【請求項５】
保守作業を実行可能な放射線撮影システムの区分けに基づいて前記保守アプリケーションプログラムが予め設けられ、それぞれの保守アプリケーションプログラムごとに異なる前記実行許可情報が設定されており、
前記実行許可情報アクセス制御部は、
前記正規の作業者に予め紐付けられた前記実行許可情報のみを取得可能とし、他の実行許可情報は取得不能にする
ことを特徴とする請求項４に記載の情報管理装置。
【請求項６】
前記放射線撮影システムの動作ロックは、前記放射線のばく射のロックである
ことを特徴とする請求項１から５のいずれかに記載の情報管理装置。
【請求項７】
放射線をばく射して撮影する放射線撮影システムと、
前記放射線撮影システムの納入先情報を管理する情報管理装置と、を備え、
前記放射線撮影システムは、
ロック解除情報の入力を条件に動作ロックを解除する動作ロック部を有し、
前記情報管理装置は、
前記放射線撮影システムの動作ロックを解除するロック解除情報を記憶するロック解除情報記憶部と、
前記放射線撮影システムの納入先情報が取得されていることを条件に、当該放射線撮影システムのロック解除情報をユーザが取得可能にするロック解除情報アクセス制御部と、
を備えることを特徴とする情報管理システム。
【発明の詳細な説明】
【技術分野】
【０００１】
本発明は、情報管理装置、及び情報管理システムに関する。
【背景技術】
【０００２】
患者を対象として放射線撮影する放射線撮影システムが知られており、病院や研究所などの各種の医療関連施設で広く利用されている。一般に、医療関連施設への放射線撮影システムの据付・設置といった納入作業は、メーカ或いは販売代理店、又は、これらが委託した委託業者（以下、これらを「納入業者」という）によって行われている。また、納入後には、放射線撮影システムに対する保守サービスなども行われている（例えば、特許文献１参照）。
【先行技術文献】
【特許文献】
【０００３】
【特許文献１】特開２０１１−３０６６１号公報
【発明の概要】
【発明が解決しようとする課題】
【０００４】
しかしながら、保守サービス提供業者が放射線撮影システムの納入先の医療関連施設を把握していない場合、当該医療関連施設に対して保守サービスを適切に提供できないばかりか、リコール発生時の対応に不都合が生じる。特に、納入業者や納入先の医療関連施設のロケーションが保守サービス提供業者からみて海外である場合、かかる問題が比較的頻繁に発生しているのが実情である。【０００５】
本発明は、放射線撮影システムの納入先を確実に把握可能にする情報管理装置、及び情報管理システムを提供することを目的とする。
【課題を解決するための手段】
【０００６】
第１の発明は、放射線をばく射して撮影する放射線撮影システムの納入先情報を管理する情報管理装置であって、前記放射線撮影システムの動作ロックを解除するロック解除情報を記憶するロック解除情報記憶部と、前記放射線撮影システムの納入先情報が取得されていることを条件に、当該放射線撮影システムのロック解除情報をユーザが取得可能にするロック解除情報アクセス制御部と、を備えることを特徴とする。【０００７】
第２の発明は、第１の発明において、前記納入先情報を受け付けて取得するシステム情報管理部と、管理対象の前記放射線撮影システムを予め記憶するシステム情報記憶部と、を備え、前記システム情報管理部は、管理対象の前記放射線撮影システムに限り、前記ユーザによる前記納入先情報の入力を受け付けることを特徴とする。【０００８】
第３の発明は、第１または第２の発明において、前記ユーザが正規の作業者であるか否かを認証するユーザ認証部を備え、前記ロック解除情報アクセス制御部は、前記ユーザが前記正規の作業者であると認証された場合に限り、当該ユーザが前記ロック解除情報を取得可能にすることを特徴とする。【０００９】
第４の発明は、第３の発明において、前記放射線撮影システムの保守作業に用いる保守アプリケーションプログラムの実行を可能にする実行許可情報を記憶する実行許可情報記憶部と、前記ユーザが前記正規の作業者であると認証された場合に限り、当該ユーザが前記実行許可情報を取得可能にする実行許可情報アクセス制御部と、を備えることを特徴とする。【００１０】
第５の発明は、第４の発明において、保守作業を実行可能な放射線撮影システムの区分けに基づいて前記保守アプリケーションプログラムが予め設けられ、それぞれの保守アプリケーションプログラムごとに異なる前記実行許可情報が設定されており、前記実行許可情報アクセス制御部は、前記正規の作業者に予め紐付けられた前記実行許可情報のみを取得可能とし、他の実行許可情報は取得不能にすることを特徴とする。【００１１】
第６の発明は、第１から第５の発明のいずれかにおいて、前記放射線撮影システムの動作ロックは、前記放射線のばく射のロックであることを特徴とする。【００１２】
第７の発明は、放射線をばく射して撮影する放射線撮影システムと、前記放射線撮影システムの納入先情報を管理する情報管理装置と、を備え、前記放射線撮影システムは、ロック解除情報の入力を条件に動作ロックを解除する動作ロック部を有し、前記情報管理装置は、前記放射線撮影システムの動作ロックを解除するロック解除情報を記憶するロック解除情報記憶部と、前記放射線撮影システムの納入先情報が取得されていることを条件に、当該放射線撮影システムのロック解除情報をユーザが取得可能にするロック解除情報アクセス制御部と、を備えることを特徴とする。
【発明の効果】
【００１３】
第１の発明によれば、納入先情報が取得されていない状態では、ロック解除情報をユーザが取得できないので、ユーザは放射線撮影システムの動作ロックを解除するために情報管理装置に納入先情報を入力する等して取得させることになる。これにより、放射線撮影システムの納入先情報が情報管理装置に集約され、各放射線撮影システムの納入先を確実に把握し、トレーサビリティの向上を図ることができる。
第２の発明によれば、管理対象の放射線撮影システムに限り、ユーザによる納入先情報の入力が受け付けられるので、保守対象でない放射線撮影システムの納入先情報が誤って情報管理装置に入力され、登録などされてしまう事を防止できる。
第３の発明によれば、正規の作業者であると認証されたユーザにだけロック解除情報を取得させることができる。これにより、正規の作業者以外の者が動作ロックを解除することで生じるトラブルの発生を防止できる。
第４の発明によれば、正規の作業者であると認証されたユーザにだけ実行許可情報を取得させ、保守アプリケーションプログラムの実行を許可できるので、保守作業の品質低下を防止できる。
第５の発明によれば、正規の作業者であると認証されたユーザが保守作業を実施できる放射線撮影システムは、取得可能な実行許可情報で実行可能な保守アプリケーションプログラムで保守できるシステムに制限されるので、保守作業の品質低下を防止できる。
第６の発明によれば、放射線撮影システムの起動などの他の動作には影響を与えることなく、放射線撮影だけを確実に不能とし、放射線撮影システムの状態を実質的に使用不能な状態に効率良くできる。
第７の発明によれば、第１の発明と同様な効果を奏する。
【図面の簡単な説明】
【００１４】
【図１】図１は、本発明の実施形態に係る情報管理システムの構成を模式的に示す図である。
【図２】図２は、Ｘ線撮影システムの構成を模式的に示す図である。
【図３】図３は、保守作業端末の機能的構成を示す図である。
【図４】図４は、情報管理装置の機能的構成を示すブロック図である。
【図５】図５は、作業者ＩＤ発行処理のフローチャートである。
【図６】図６は、保守対象登録処理のフローチャートである。
【図７】図７は、納入先登録作業における保守作業端末と情報管理装置の動作を示す図である。
【発明を実施するための形態】
【００１５】
以下、図面を参照して本発明の実施形態について説明する。
図１は、本実施形態に係る情報管理システム１の構成を模式的に示す図である。
情報管理システム１は、Ｘ線撮影システム２の情報を管理するシステムであり、同図に示すように、管理対象のＸ線撮影システム２と、保守作業端末３と、情報管理装置４と、を備え、少なくとも保守作業端末３と、情報管理装置４とが相互に電気通信回線６を通じて通信可能に構成されている。電気通信回線６には、例えばインターネットや携帯電話網などの適宜の通信回線が用いられる。
【００１６】
Ｘ線撮影システム２は、患者などを対象にＸ線撮影する医療用のシステムであり、医療関連施設５に設置されている。医療関連施設５への納入作業は納入業者によって実施される。納入業者は、上述の通り、Ｘ線撮影システム２を製造したメーカ或いは販売代理店、又は、これらが委託した委託業者である。
また本実施形態のＸ線撮影システム２は、納入時に、その動作がロックされた状態、すなわちＸ線撮影が不能な状態で納入される。
【００１７】
保守作業端末３は、Ｘ線撮影システム２の保守作業に用いられるポータブル型のコンピュータである。保守作業は、Ｘ線撮影システム２の正常な状態を維持できるようにケアする適宜の作業を含み、調整や点検、修理、整備、消耗品補充などの作業が含まれる。
【００１８】
さらに、この保守作業端末３は、納入先登録作業、及びロック解除作業にも使用される。
納入先登録作業は、医療関連施設５へのＸ線撮影システム２の納入に際し、納入先情報Ｉａを情報管理装置４に登録する作業である。
ロック解除作業は、Ｘ線撮影システム２の納入の際に、Ｘ線撮影システム２の動作ロックを解除しＸ線撮影可能にする作業である。
【００１９】
かかる保守作業端末３は、Ｘ線撮影システム２の保守サービスを提供する保守サービス提供業者７によって管理された保守作業者８に所持される。保守作業者８は、いわゆるサービスマンと称される作業者であって、保守サービス提供業者７によって保守サービスの提供が認められた正規の作業者である。
【００２０】
保守サービス提供業者７は、上述の納入業者や、当該納入業者によって委託された委託業者、または適宜の業者が成り得るが、本実施形態では、保守サービス提供業者７と納入業者とが同一であり、上述の保守作業者８が納入作業に際し、保守作業端末３を用いて納入先登録作業、及びロック解除作業を実施する。
【００２１】
情報管理装置４は、Ｘ線撮影システム２に係る情報を管理するサーバーコンピュータであり、本実施形態では保守サービス提供業者７によって管理される。この情報管理装置４は、Ｘ線撮影システム２に係る情報として、Ｘ線撮影システム２の納入先の納入先情報Ｉａ、及びＸ線撮影システム２の動作ロックの解除に要するロック解除情報Ｉｂを管理し、さらに保守作業者８の情報も管理する。
【００２２】
図２は、Ｘ線撮影システム２の構成を模式的に示す図である。
Ｘ線撮影システム２は、図２に示すように、Ｘ線撮影装置１０と、コントローラ１２と、を備える。
Ｘ線撮影装置１０は、放射線撮影装置の一例であり、放射線としてＸ線を患者などに照射して撮影し医用画像を生成する。
コントローラ１２は、Ｘ線撮影装置１０の動作を制御する装置である。コントローラ１２は、ＣＰＵやＭＰＵなどのプロセッサと、ＲＯＭやＲＡＭなどのメモリデバイスと、入力デバイスのインターフェース回路と、を備えた例えば制御基板などの装置によって構成されており、メモリデバイスに格納されているプログラムをプロセッサが実行することで、図２に示す各機能部が実現されている。
【００２３】
具体的には、本実施形態のコントローラ１２は、動作ロック部１４を備える。動作ロック部１４は、ロック解除情報Ｉｂの入力を条件に、Ｘ線撮影装置１０の撮影動作を可能にするものである。Ｘ線撮影システム２の納入時には、ロック解除情報Ｉｂが動作ロック部１４に入力されておらず、Ｘ線撮影装置１０はＸ線撮影動作不能な状態となっている。動作ロック部１４がＸ線撮影を不能にする具体的態様は任意であるが、本実施形態では、動作ロック部１４がＸ線撮影装置１０におけるＸ線のばく射を禁止することで、Ｘ線撮影を不能にしている。
【００２４】
また、動作ロック部１４は、ロック解除認証部１６を備える。
ロック解除認証部１６は、ロック解除情報Ｉｂが入力された場合、当該ロック解除情報Ｉｂの正当性を判定し、正当と判定した場合に限り、動作ロック部１４によるＸ線撮影装置１０の動作ロックを解除する。
正当なロック解除情報Ｉｂは、情報管理装置４によって管理されており、ロック解除作業に際し、保守作業者８は、当該情報管理装置４に保守作業端末３などを用いてアクセスし、当該情報管理装置４からロック解除情報Ｉｂを取得する。
【００２５】
なお、ロック解除認証部１６におけるロック解除情報Ｉｂの正当性判定には、公知の適宜の手法を用いることができる。例えば、ロック解除認証部１６が正当なロック解除情報Ｉｂを予め（例えば出荷時など）に保持する手法や、入力されたロック解除情報Ｉｂを入力パラメータとした所定認証アルゴリムの演算結果に基づいて当該ロック解除情報Ｉｂの正当性を評価する手法などを用いることができる。
【００２６】
図３は、保守作業端末３の機能的構成を示す図である。
保守作業端末３は、上述の通り、ポータブル型のコンピュータである。このコンピュータは、ＣＰＵやＭＰＵなどのプロセッサと、ＲＯＭやＲＡＭなどのメモリデバイスと、ＨＤＤやＳＳＤなどのストレージ装置と、電気通信回線６を介して通信する通信装置と、入力デバイスや表示デバイスなどの周辺機器を接続するためのインターフェース回路と、を有し、ストレージ装置またはメモリデバイスに格納されているプログラムを実行することで、図３に示す機能部が実現されている。
【００２７】
すなわち、保守作業端末３は、操作部２０と、表示部２２と、第１通信部２４と、第２通信部２６と、保守アプリケーション部２８と、を備える。
操作部２０は、ユーザ操作を受け付けるものであり、例えばキーボードやタッチパネルなどの入力デバイスを備える。
表示部２２は、各種情報を表示するものであり、例えばフラットパネルディスプレイなどの表示デバイスを備える。
【００２８】
第１通信部２４は、電気通信回線６を通じて情報管理装置４と通信する通信装置を有し、当該通信によって、納入先情報Ｉａの送信や、ロック解除情報Ｉｂの受信などを行う。
第２通信部２６は、Ｘ線撮影システム２のコントローラ１２と有線、又は無線を介して通信する通信装置を有し、当該通信によって、コントローラ１２へのロック解除情報Ｉｂの入力や、保守アプリケーション部２８とコントローラ１２の間のデータ送受が行われる。
【００２９】
保守アプリケーション部２８は、保守アプリケーションプログラム２８Ａの実行によって、Ｘ線撮影システム２の保守作業（調整やメンテナンスなど）のための各種のツールを保守作業者８が利用可能にする。保守アプリケーションプログラム２８Ａは、例えば保守作業端末３のストレージ装置に予めインストールされてプロセッサによって実行され、或いは、クラウドサーバなどのサーバーコンピュータで実行される。
【００３０】
本実施形態の保守作業端末３では、Ｘ線撮影システム２の保守作業を保守作業者８だけに制限するために、保守アプリケーション部２８には、実行許可確認部２９が設けられている。実行許可確認部２９は、正規の実行許可情報Ｉｆが当該保守作業端末３に入力、或いは保存されている場合に限り、保守アプリケーションプログラム２８Ａ（保守アプリケーション部２８）の実行を許可する。実行許可情報Ｉｆは、いわゆるアクティベーションキーなどとも称される情報であり、ロック解除情報Ｉｂと同様に、情報管理装置４に管理されている。保守作業者８は、当該情報管理装置４に保守作業端末３などを用いてアクセスし、当該情報管理装置４から実行許可情報Ｉｆを取得する。
【００３１】
なお、実行許可確認部２９は、保守アプリケーションプログラム２８Ａがユーザによって実行されるごとに、実行許可情報Ｉｆの入力を求めてもよい。
また実行許可確認部２９が実行許可情報Ｉｆの正否を確認する手法には、アプリケーションプログラムにおける適宜のライセンス管理技術を用いることができる。特に、実行許可確認部２９は、保守アプリケーションプログラム２８Ａに予め組み込まれ、当該保守アプリケーションプログラム２８Ａの実行に伴って実現される機能であってもよい。
【００３２】
ここで、保守作業を実行可能なＸ線撮影システム２の区分けに応じて保守アプリケーションプログラム２８Ａが予め用意される。そして、保守作業端末３では、保守作業者８によって保守作業が認められている各Ｘ線撮影システム２に対応した１又は複数の保守アプリケーションプログラム２８Ａが実行される。このため、保守作業端末３では、１又は複数（図示例では複数）の保守アプリケーション部２８が実現されることとなる。なお、それぞれの保守アプリケーションプログラム２８には異なる実行許可情報Ｉｆが設定されている。
【００３３】
図４は、情報管理装置４の機能的構成を示すブロック図である。
情報管理装置４は、上述の通り、サーバーコンピュータを備え、かかるサーバーコンピュータは、ＣＰＵやＭＰＵなどのプロセッサと、ＲＯＭやＲＡＭなどのメモリデバイスと、ＨＤＤやＳＳＤなどのストレージ装置と、電気通信回線６を介して通信する通信装置と、各種の周辺機器を接続するためのインターフェース回路と、を有し、ストレージ装置またはメモリデバイスに格納されているプログラムを実行することで、図４に示す各種の機能部を実現する。
【００３４】
すなわち、情報管理装置４は、図４に示すように、作業者管理部４０と、システム情報管理部４２と、を備える。
作業者管理部４０は、正規の保守作業者８を管理するものであり、作業者記憶部５０と、作業者認証情報生成部５１と、ユーザ認証部５２と、実行許可情報アクセス制御部５３と、を備える。
作業者記憶部５０は、正規の保守作業者８の情報を記憶するものであり、ストレージ装置に構築されたデータベースを備える。この作業者記憶部５０は、保守作業者８の情報として、人物属性情報、作業者ＩＤ、及び作業者認証情報Ｉｃを記憶する。さらに、この作業者記憶部５０は、保守作業者８に紐付けて実行許可情報Ｉｆを少なくとも記憶しており、実行許可情報記憶部としても機能する。
【００３５】
人物属性情報は、保守作業者８の人物に関する情報であり、例えば氏名、生年月日、住所、連絡先などが挙げられる。作業者ＩＤは、保守作業者８を一意に特定する情報である。作業者認証情報Ｉｃは、正規の保守作業者８を確認可能にする（認証する）ための情報である。
実行許可情報Ｉｆは、上述の通り、保守作業者８が保守作業端末３において保守アプリケーションプログラム２８Ａを実行させるために必要な情報であり、保守アプリケーションプログラム２８Ａのベンダーや、Ｘ線撮影システム２のメーカなどから予め保守サービス提供業者７に提供されている。
保守作業者８が複数の異なる保守アプリケーションプログラム２８Ａを実行可能である場合は、それぞれの保守アプリケーションプログラム２８Ａの実行許可情報Ｉｆが作業者ＩＤと紐付けて記憶される。
【００３６】
作業者認証情報生成部５１は、新規の保守作業者８が作業者記憶部５０に記憶される際に、作業者ＩＤに対応する作業者認証情報Ｉｃを生成する。作業者認証情報Ｉｃの生成には、保守作業者８の人物属性情報（例えば氏名や生年月日、社員番号など）や、保守作業者８が指定した文字列、適宜の認証情報生成アルゴリズムを用いることができる。
【００３７】
ユーザ認証部５２は、情報管理装置４にアクセスするユーザが正規の保守作業者８であるか否かを認証する。本実施形態では、ユーザ認証部５２は、当該ユーザが入力する作業者ＩＤと作業者認証情報Ｉｃとの対が作業者記憶部５０に記憶されているか否かに基づいてユーザを認証する。
【００３８】
実行許可情報アクセス制御部５３は、ユーザ認証部５２による認証結果に基づき、情報管理装置４にアクセスしているユーザが正規の保守作業者８である場合に、当該保守作業者８と紐付いた実行許可情報Ｉｆを当該ユーザが取得可能にする。実行許可情報Ｉｆの取得の態様はダウンロードや閲覧などの適宜の態様を採用できる。
【００３９】
システム情報管理部４２は、保守対象のＸ線撮影システム２を管理するものであり、システム情報記憶部６０と、ロック解除情報アクセス制御部６２と、を備える。
システム情報記憶部６０は、保守対象のＸ線撮影システム２の情報を記憶するものであり、ストレージ装置に構築されたデータベースを備える。Ｘ線撮影システム２の情報には、システム情報に加え、納入先情報Ｉａと、ロック解除情報Ｉｂと、が少なくとも含まれており、システム情報記憶部６０は、納入先情報記憶部と、ロック解除情報記憶部としても機能する。
【００４０】
システム情報は、Ｘ線撮影システム２に関する情報であり、Ｘ線撮影システム２を一意に特定するシステム識別情報を少なくとも含む。システム識別情報には、例えばメーカによって製造時に付与されたシリアル番号を用いることができる。またシステム情報は、Ｘ線撮影システム２の製造年月日や型式、商品名なども適宜に含むことができる。
【００４１】
納入先情報Ｉａは、Ｘ線撮影システム２の納入先（本実施形態では医療関連施設５）の情報であり、施設名、住所、連絡先、納入年月日、担当者などが含まれる。また、納入先情報Ｉａには、例えば保守の履歴情報（保守作業日付、及び保守作業の内容）を紐付けて管理してもよい。
【００４２】
ロック解除情報Ｉｂは、上述の通り、Ｘ線撮影システム２の動作ロック（本実施形態ではＸ線のばく射のロック）を解除するための情報であり、Ｘ線撮影システム２の製造時にメーカから提供される。なお、ロック解除情報Ｉｂの提供をメーカから受ける構成に限らない。例えば、Ｘ線撮影システム２のコントローラ１２が所定の認証アルゴリズムにしたがってロック解除情報Ｉｂを認証する場合には、当該認証アルゴリズムにおいて正規と判定されるロック解除情報Ｉｂを情報管理装置４が生成してもよい。
【００４３】
ロック解除情報アクセス制御部６２は、ユーザ認証部５２による認証結果に基づき、情報管理装置４にアクセスしているユーザが正規の保守作業者８であり、なおかつ、納入先情報Ｉａがシステム情報記憶部６０に既に記憶されている場合に、当該納入先情報Ｉａに紐付くＸ線撮影システム２のロック解除情報Ｉｂをユーザが取得可能にする。ロック解除情報Ｉｂの取得の態様はダウンロードや閲覧などの適宜の態様を採用できる。
【００４４】
次いで、本実施形態の動作について説明する。
【００４５】
［保守作業者登録］
保守サービス提供業者７では、Ｘ線撮影システム２の保守に要する知識や技能を身につけるための能力担保研修が実施されており、当該能力担保研修を受けた者が保守作業者８として認定され、この者に対して認定の証として作業者ＩＤ、作業者認証情報Ｉｃが発行される。さらに、その保守作業者８が保守作業を実施できるＸ線撮影システム２に対応した保守アプリケーションプログラム２８Ａの実行許可情報Ｉｆも発行される。
【００４６】
図５は、作業者ＩＤ発行処理のフローチャートである。
作業者ＩＤの発行は、情報管理装置４の作業者管理部４０によって行われる。
具体的には、作業者管理部４０は、先ず、作業者ＩＤ発行対象の人物に関する人物属性情報をユーザ入力によって取得する（ステップＳａ１）。次いで、作業者認証情報生成部５１が当該人物に発行する作業者ＩＤと、この人物を認証するための作業者認証情報Ｉｃと、を生成する（ステップＳａ２）。そして、作業者管理部４０は、人物属性情報、作業者ＩＤ、及び作業者認証情報Ｉｃと、この人物に実行を許可する保守アプリケーションプログラム２８Ａの実行許可情報Ｉｆとを紐付けて、作業者記憶部５０に記憶する（ステップＳａ３）。
【００４７】
これにより、保守サービス提供に関する能力が担保された保守作業者８を管理でき、当該能力が担保されていない者を区別できる。
さらに、保守作業者８が実行可能な保守アプリケーションプログラム２８Ａも管理できる。
【００４８】
なお、保守作業者８への作業者ＩＤ、作業者認証情報Ｉｃ、及び実行許可情報Ｉｆの提供には、情報管理装置４からのデータ送信（ダウンロードを含む）や保守サービス提供業者７からの郵送といった適宜の態様をとることができる。
【００４９】
保守作業者８は、実行許可情報Ｉｆを取得すると、保守作業端末３に入力し、その実行許可情報Ｉｆを実行許可確認部２９が確認可能にする。これにより、保守作業者８だけが保守作業端末３の保守アプリケーションプログラム２８Ａを実行し、Ｘ線撮影システム２に対する各種の保守作業を実施できる。
なお、保守作業者８が実行許可情報Ｉｆを取得する態様は任意であるが、本実施形態では、保守作業者８は保守作業端末３を用いて情報管理装置４にアクセスし、当該情報管理装置４から実行許可情報Ｉｆを取得する。この場合において、情報管理装置４は、作業者ＩＤ、及び作業者認証情報Ｉｃに基づいて、アクセスしているユーザが保守作業者８（正規の作業者）であるか否かを認証し、認証に成功した場合に限り、このユーザが実行許可情報Ｉｆを取得可能にする。
【００５０】
［保守対象登録］
保守サービス提供業者７は、新規なＸ線撮影システム２を保守対象に取り扱う場合、情報管理装置４のシステム情報記憶部６０に、そのＸ線撮影システム２を登録する。
【００５１】
図６は、保守対象登録処理のフローチャートである。
情報管理装置４において、システム情報管理部４２は、保守対象のＸ線撮影システム２の情報を、ユーザ入力により、或いは、当該情報を保持したコンピュータとの通信により取得する（ステップＳｂ１）。納入前において、Ｘ線撮影システム２の情報には、システム情報と、ロック解除情報Ｉｂと、が少なくとも含まれており、システム情報管理部４２は、これらの情報をシステム情報記憶部６０に記憶する（ステップＳｂ２）。これにより、システム情報記憶部６０には、保守対象のＸ線撮影システム２が予め記憶され、情報管理装置４によって管理される。
【００５２】
［納入先登録作業］
Ｘ線撮影システム２の納入作業においては、Ｘ線撮影システム２の設置作業の他に、情報管理装置４への納入先登録作業が行われる。納入先登録作業は、上述の通り、保守作業者８が保守作業端末３から情報管理装置４にアクセスして行われる。なお、保守作業者８が情報管理装置４を直接操作して納入先を登録できることは勿論である。
【００５３】
図７は、納入先登録作業における保守作業端末３と情報管理装置４の動作を示す図である。
納入先登録作業は、保守作業者８だけが実行可能となっている。
具体的には、情報管理装置４は、納入先登録要求を保守作業端末３から受け付けると（ステップＳｃ１）、ユーザ認証部５２が保守作業端末３に対してユーザ認証を要求する（ステップＳｃ２）。この要求に対して保守作業者８が作業者ＩＤと作業者認証情報Ｉｃとを認証情報として保守作業端末３に入力すると、これらの認証情報に基づいてユーザ認証部５２が認証処理を行う。
すなわち、ユーザ認証部５２は、作業者ＩＤを検索キーとして作業者記憶部５０を検索し、当該作業者ＩＤに対応する作業者認証情報Ｉｃを取得する（ステップＳｃ３）。そして、ユーザ認証部５２は、この作業者認証情報Ｉｃと作業者ＩＤのペアと、ステップＳｃ２の要求に対して入力された作業者ＩＤと作業者認証情報Ｉｃのペアとが一致するか否かに基づいてユーザ認証する（ステップＳｃ４）。
両者が不一致である場合（ステップＳｃ４：Ｎｏ）、ユーザ認証部５２は、ユーザ認証に失敗した旨を返答する（ステップＳｃ５）。
一方、両者が一致した場合（ステップＳｃ４：Ｙｅｓ）、ユーザ認証部５２によって認証が成功したと判定される（ステップＳｃ６）。
【００５４】
次いで、続くステップにより納入先登録が行われる。
すなわち、先ず、システム情報管理部４２は、Ｘ線撮影システム２のシステム情報、及び納入先情報Ｉａの入力を保守作業端末３に要求する（ステップＳｃ７）。保守作業者８がこれらの情報を保守作業端末３に入力すると、これらの情報がシステム情報管理部４２によって取得される。そして、システム情報管理部４２は、システム情報（本実施形態ではシステム識別情報）を検索キーとしてシステム情報記憶部６０を検索し、納入先情報Ｉａの登録対象のＸ線撮影システム２を特定する（ステップＳｃ８）。
【００５５】
この検索の結果、該当するＸ線撮影システム２がシステム情報記憶部６０に記憶されていない場合（ステップＳｃ８：Ｎｏ）、システム情報管理部４２は、そのＸ線撮影システム２が保守対象でない旨を保守作業端末３に返答し、入力されたシステム情報、及び納入先情報Ｉａの受け付けを拒絶する（ステップＳｃ９）。これにより、システム情報記憶部６０に予め記憶されていないＸ線撮影システム２については納入先情報Ｉａが受け付けられることがなく、保守対象でないＸ線撮影システム２の納入先情報Ｉａが誤って登録されてしまう事を防止できる。
【００５６】
一方、該当するＸ線撮影システム２がシステム情報記憶部６０に既に記憶されている場合（ステップＳｃ８：Ｙｅｓ）、システム情報管理部４２は、そのＸ線撮影システム２の納入先情報Ｉａを、システム情報記憶部６０に記憶する（ステップＳｃ１０）。
納入先情報Ｉａが記憶された場合には、ロック解除情報アクセス制御部６２は、そのＸ線撮影システム２のロック解除情報Ｉｂを保守作業者８が保守作業端末３を使って取得可能にする（ステップＳｃ１１）。
【００５７】
保守作業者８は、ロック解除情報Ｉｂを取得すると、保守作業端末３を操作してＸ線撮影システム２のコントローラ１２に、当該ロック解除情報Ｉｂを入力する（ステップＳｃ１２）。これにより、ばく射のロックが解除され、Ｘ線撮影装置１０がＸ線撮影できるようになる。そして、保守作業者８は、保守作業端末３で保守アプリケーションプログラム２８Ａを実行することで、Ｘ線撮影装置１０の各種の調整作業を行う。
【００５８】
なお、コントローラ１２においては、ロック解除情報Ｉｂが入力されたときに、このロック解除情報Ｉｂをロック解除認証部１６が認証し、正当なロック解除情報Ｉｂでない場合には、ばく射のロックを解除しない。
すなわち、納入先情報Ｉａの登録に伴って取得されたロック解除情報Ｉｂでなければ、ばく射のロックが解除されないので、納入先情報Ｉａが未登録のまま、Ｘ線撮影システム２が運用されてしまうのを防止できる。
【００５９】
上述した実施形態によれば、次のような効果を奏する。
【００６０】
本実施形態の情報管理装置４は、Ｘ線撮影システム２の納入先情報Ｉａが取得されていることを条件に、当該Ｘ線撮影システム２のロック解除情報Ｉｂを保守作業者８が取得可能にする。
すなわち、納入先情報Ｉａが情報管理装置４に取得されていない状態では、ロック解除情報Ｉｂを保守作業者８が取得することはできず、Ｘ線撮影システム２の動作ロックを解除することができない。
したがって、Ｘ線撮影システム２の動作ロックを解除するために情報管理装置４に納入先情報Ｉａを入力する等して取得させることになる。これにより、Ｘ線撮影システム２の納入先情報Ｉａが情報管理装置４に集約され、納入先などが海外であっても各Ｘ線撮影システム２の納入先を確実に把握し、トレーサビリティの向上が図られる。
【００６１】
本実施形態の情報管理装置４は、管理対象のＸ線撮影システム２に限り、保守作業者８による納入先情報Ｉａの入力を受け付けるので、保守対象でないＸ線撮影システム２の納入先情報Ｉａが誤って情報管理装置４に入力され、登録などされてしまう事を防止できる。
【００６２】
本実施形態の情報管理装置４は、ユーザが保守作業者８（すなわち正規の作業者）であると認証された場合に限り、当該ユーザが前記ロック解除情報Ｉｂを取得可能にする。
これにより、ロック解除情報Ｉｂを使ってＸ線撮影システム２の動作ロックを解除し、Ｘ線撮影可能な状態にできる作業者を、研修等を受けた正規の作業者だけに制限できる。したがって、作業者の未熟さに起因した納入作業時のトラブル発生を防止できる。
【００６３】
本実施形態の情報管理装置４は、ユーザが保守作業者８（すなわち正規の作業者）である場合に限り、当該ユーザが保守アプリケーションプログラム２８Ａの実行許可情報Ｉｆを取得可能にする。
これにより、研修等を受けた正規の作業者だけが実行許可情報Ｉｆを使って保守アプリケーションプログラム２８Ａを実行できるので、保守作業の品質を高いレベルに維持し、品質低下を防止できる。
【００６４】
本実施形態の情報管理装置４は、保守作業者８（すなわち正規の作業者）に紐付いた実行許可情報Ｉｆを当該保守作業者８が取得可能とし、それ以外の他の実行許可情報Ｉｆについては取得不能となっている。
これにより、保守作業者８が保守作業を実施できるＸ線撮影システム２は、取得可能な実行許可情報Ｉｆで実行可能な保守アプリケーションプログラム２８Ａで保守できるシステムに制限されるので、保守作業の品質をより高いレベルに維持し、品質低下を防止できる。
【００６５】
本実施形態では、Ｘ線撮影システム２の動作ロックは、Ｘ線のばく射のロックであるため、Ｘ線撮影システム２の起動などの他の動作には影響を与えることなく、Ｘ線撮影だけを確実に不能とし、Ｘ線撮影システム２の状態を実質的に使用不能な状態に効率良くできる。
【００６６】
上述した実施形態は、あくまでも本発明の一態様を例示したものであって、本発明の趣旨を逸脱しない範囲で任意に変形、及び応用が可能である。
【００６７】
例えば、図２から図４に示す機能ブロックは、本願発明を理解容易にするために、構成要素を主な処理内容に応じて分類して示した概略図であり、さらに多くの構成要素に分類することもできる。また、１つの構成要素がさらに多くの処理を実行するように分類することもできる。
【００６８】
また、図４に示す情報管理装置４において、作業者管理部４０の機能と、システム情報管理部４２の機能とを互いに異なるコンピュータを用いて実現してもよい。
また、作業者記憶部５０、及びシステム情報記憶部６０をデータベースサーバによって構成してもよい。
【００６９】
上述した実施形態において、Ｘ線撮影システム２の納入作業を行う納入業者が保守サービス提供業者７である場合を例示したが、これに限らない。この場合、納入業者によってＸ線撮影システム２が納入先に据え置き、設置された後に、保守作業者８が情報管理装置４への納入先情報Ｉａの登録と、Ｘ線撮影システム２の動作ロック解除作業を実施する。
【００７０】
上述した実施形態において、保守作業者８は、保守作業端末３などを用いて電気通信回線６を介してロック解除情報ＩｂをＸ線撮影システム２に入力してもよい。これにより、遠隔地からＸ線撮影システム２の動作ロックを解除できる。
【００７１】
上述した実施形態において、保守サービス提供業者７が情報管理装置４を所有、又は管理したが、これに限らない。例えばメーカ、メーカ或いは保守サービス提供業者から委託を受けた業者、その他の適宜の業者などが情報管理装置４を管理してもよい。
【符号の説明】
【００７２】
１  情報管理システム
２  Ｘ線撮影システム（放射線撮影システム）
３  保守作業端末
４  情報管理装置
８  保守作業者（正規の作業者）
１０  Ｘ線撮影装置（放射線撮影装置）
１２  コントローラ
１４  動作ロック部
１６  ロック解除認証部
２８  保守アプリケーション部
２８Ａ  保守アプリケーションプログラム
２９  実行許可確認部
４０  作業者管理部
４２  システム情報管理部
５０  作業者記憶部
５２  ユーザ認証部
５３  実行許可情報アクセス制御部
６０  システム情報記憶部
６２  ロック解除情報アクセス制御部
Ｉａ  納入先情報
Ｉｂ  ロック解除情報
Ｉｃ  作業者認証情報
Ｉｆ  実行許可情報
【図１】
2020065775.tif 000003
【図２】
2020065775.tif 000004
【図３】
2020065775.tif 000005
【図４】
2020065775.tif 000006
【図５】
2020065775.tif 000007
【図６】
2020065775.tif 000008
【図７】
2020065775.tif 000009
【国際調査報告】
2020065775.tif 000010
2020065775.tif 000011